(57)【要約】【課題】  消火設備機器のスイッチボックスにおけるカバーの取付け・取外し作業が簡易化できるスイッチボックスを提供する。【解決手段】  消火設備機器に設置され、内部に電気部材が設置されているベース１３と、ベース１３を覆いベース１３に着脱可能なカバー１６であり、ベース１３またはカバー１６の一方の部材に牝ネジ２０を設け、他方の部材にはビス挿通部１８が周縁から切欠かれて形成されており、ベース１３にカバー１６を装着する際に、カバー１６はビス１９によってベース１３に固定され、ビス１９はビス挿通部１８を通って牝ネジ２０に螺入される構造とした。【選択図】    図３
2011078673.tif 000002
【特許請求の範囲】
【請求項１】
消火設備機器に設置され、内部に電気部材が設置されているベースと、
ベースを覆いベースに着脱可能なカバーであり、
ベースまたはカバーの一方の部材に牝ネジを設け、他方の部材にはビス挿通部が周縁から切欠かれて形成されており、
ベースにカバーを装着する際に、カバーはビスによってベースに固定され、ビスはビス挿通部を通って牝ネジに螺入されている
ことを特徴とした消火設備機器のスイッチボックス。
【請求項２】
カバーとベースには係合部が設けられており、カバーがベースに装着された状態ではカバーとベースは係合状態にあり、ビスを緩めると係合状態が解除可能となる請求項１記載の消火設備機器のスイッチボックス。
【請求項３】
カバーをスライド動作させることでベースとカバーの取付け・取り外しが可能な請求項１または２記載の消火設備機器のスイッチボックス。
【請求項４】
カバーを回動動作させることでベースとカバーの取付け・取り外しが可能な請求項１または２記載の消火設備機器のスイッチボックス。
【発明の詳細な説明】
【技術分野】
【０００１】
本発明は、消火設備機器のスイッチボックス構造に関するものであり、特に流水検知装置に備えられる圧力スイッチや作動スイッチのスイッチボックスに関する。
【背景技術】
【０００２】
消火設備機器は、火災時に動作して消火・避難を促すための通報を行う機器である。そのなかでもスプリンクラー設備の配管に設置される流水検知装置は、火災の発生によりスプリンクラーヘッドが作動した際の配管内の流水を検知して建物内の受信盤に通報する機器である。流水検知装置は一次側が水源と接続され、二次側がスプリンクラーヘッドと接続されている。
【０００３】
流水検知装置には、配管内の流水による現象を変位に換える機構と、該変位により起動され検知信号を出力するスイッチや端子台を有している。一般にスイッチや端子台はスイッチボックス内に収容され、湿気や埃から保護されている。
【０００４】
従来の流水検知装置のスイッチボックスとして、例えば特許文献１に記載されたものがあり、箱型のカバーと平板状のベースから構成されている。特許文献２に記載されているベースには端子台やスイッチ、配線等の部品が収容されている。カバーとベースは数本のビスにより固定される構成となっている。
【先行技術文献】
【特許文献】
【０００５】
【特許文献１】特開２００１−１９０７０６号公報
【特許文献２】特開２００４−１１７２４０号公報
【発明の概要】
【発明が解決しようとする課題】
【０００６】
上記のスイッチボックスはカバーが数本のビスによりベースに固定されていたが、カバーを外す場合には先ずビスを取外した後にカバーをベースから外すという２段階の作業が必要であった。
【０００７】
流水検知装置は、建築現場において建物内の受信盤に接続している配線を流水検知装置のスイッチへ結線する作業が行われるので、結線作業時にカバーの取外し・取付けが行われる。しかしながら共同住宅やマンションにおいては消防法により一戸毎に流水検知装置を設置しているので、大規模マンションになると一棟で数十個から数百個の数の流水検知装置が設置されることになる。
【０００８】
従って多大な個数について流水検知装置の結線作業を行わなければならず、その作業毎にカバーの取外し・取付けを行うことから手間と時間のかかる作業となっていた。
【０００９】
そこで本発明では、上記問題に鑑み、スイッチボックスのカバーの取付け・取外し作業が簡易化できる消火設備機器のスイッチボックスを提供することを目的としている。
【課題を解決するための手段】
【００１０】
上記の目的を達成するために、本発明は以下による消火設備機器のスイッチボックスを提供する。
【００１１】
本発明は、消火設備機器に設置され、内部に電気部材が設置されているベースと、ベースを覆いベースに着脱可能なカバーであり、ベースまたはカバーの一方の部材に牝ネジを設け、他方の部材にはビス挿通部が周縁から切欠かれて形成されており、ベースにカバーを装着する際に、カバーはビスによってベースに固定され、ビスはビス挿通部を通って牝ネジに螺入されていることを特徴とする。
【００１２】
本発明ではベースへのカバーの取付け・取外しをビスにより行う。ビスが螺合する牝ネジをベースまたはカバーの一方に設置するが、一例として牝ネジをベース側に設置した場合、ビス挿通部がカバーに形成される。ビスはビス挿通部を通過して牝ネジに螺合される。ビスを牝ネジに螺合することでビスの頭部によりカバーがベースに押圧され、カバーをベースに固定することができる。
【００１３】
また、ベースに固定されたカバーを取外す際には、ビスを完全に牝ネジから外す必要はなく、カバーとベースの間に隙間ができる程度ビスを緩めれば、カバーをビス挿通部の切欠きに沿って動かしてカバーをベースから外すことが可能となる。上記によれば、ビスの紛失を防止することができるとともに、カバーの取付け・取外しに要する時間が短縮されることや手間が軽減される効果を有する。
【００１４】
前記本発明の消火設備機器のスイッチボックスについては、カバーとベースには係合部が設けられており、カバーがベースに装着された状態ではカバーとベースは係合状態にあり、ビスを緩めると係合状態が解除可能となる。
【００１５】
カバーがベースに装着された状態では、ビスによりカバーはベースに押圧されている。さらに係合部によってカバーとベースは係合状態にあることから、ビスによるカバーへの押圧力が振動等によって緩んだ場合や、カバーを取付ける際にビスを緩めに締付けた場合においても係合部によってカバーとベースが係合しているのでカバーがベースから脱落することを防止できる。
【００１６】
係合部の具体的な構成としては、ベースとカバーの接触面に段や凸凹形状を形成して係合・噛合させることや、あるいはベースとカバーの接触面に滑り止め手段としてゴムや磁石を設けることや、ベースとカバーの密着性を高めるシール部材を設置することも可能である。
【００１７】
前記本発明の消火設備機器のスイッチボックスについては、カバーをスライド動作させることでベースとカバーの取付け・取り外しが可能となる。
前述のようにカバーをベースから取外す際には、ベース側に設けられた牝ネジに螺合したビスを緩めてカバーをビス挿通部の切欠きに沿ってスライド移動させることにより取外すことができる。また、カバーをベースに取付ける際には逆の手順で作業できる。これによりカバーの取付け・取外し作業の時間短縮・効率化が図られる。
【００１８】
前記本発明の消火設備のスイッチボックスについては、カバーを回動動作させることでベースとカバーの取付け・取り外しが可能となる。
これは前述のカバーとベースの係合部としてベースの端面を利用し、該ベースの端面に対応するカバーの縁に断面コ字型で前記ベースの端面に係合する形状を設けたことにより、カバーの断面コ字型の部分がベースの端面を軸として回動可能となり、該回動動作方向にカバーの縁から切欠きを形成してビス挿通部を設けたものである。
【発明の効果】
【００１９】
本発明の消火設備のスイッチボックスによれば、ベースとカバーの取付け・取外し作業を短時間で効率的に行うことが可能となる。さらにベースとカバーを固定するビスの紛失を防ぐこともできる。
また、カバーをスライド動作により取付け・取り外し可能としたことで、メンテナンススペースが充分に取れない狭い場所においてもカバーの着脱ができ、点検・修理等の作業を行うことができる。
【図面の簡単な説明】
【００２０】
【図１】本発明の実施形態１による流水検知装置の断面図
【図２】図１の流水検知装置のスイッチボックスの内部構造を示す説明図
【図３】図２のスイッチボックスのベースとカバーの取付け・取外し状態を示す説明図
【図４】図３に示すＰ部の動作を示す拡大断面図
【図５】図１の流水検知装置の正面図
【図６】本発明の実施形態２による流水検知装置の断面図
【図７】図６の流水検知装置のスイッチボックスの内部構造を示す説明図
【図８】図７のスイッチボックスのベースとカバーの分解斜視図
【図９】図８のベースとカバーの係合部を示す説明図
【図１０】本発明の実施形態３による流水検知装置の断面図
【図１１】図１０の流水検知装置のスイッチボックスのベースとカバーの分解斜視図
【図１２】図１１のベースのカバーがスライド可能なレールを設置した際の説明図
【発明を実施するための最良の形態】
【００２１】
以下、この発明の実施形態１を図１から図５を参照して説明する。
【００２２】
本発明のスイッチボックスは、主に流水検知装置に備えられるものであり、図１、２に示す流水検知装置１に設置される。
【００２３】
図１および図２の流水検知装置１は、中空状の本体２を備え両端にフランジ３、３が形成されている。本体２内には隔壁４が設けられ本体２の内部が一次側Iと二次側ＩＩに分けられている。該隔壁４には通路５が穿設されており、通路５を開放・閉止可能な弁体６が二次側ＩＩ内に弁軸７によって軸支されている。弁体６は弁軸７を支点として回動可能であり、弁体６が回動することで通路５が開放・閉止される。弁軸７は本体２の外部へ突出して設けられており、弁軸７の本体２より外部に突出した部分にはカム８が固定設置され、カム８は弁体６の回動動作と共に回動動作する。
【００２４】
カム８は本体２の近傍に設置したスイッチボックスＳＢ内に収容されている。カム８の近傍にはリミットスイッチ９が設けられており、カム８の回動動作をリミットスイッチ９により検知して受信盤や警報装置等の外部機器に信号を出力可能としている。カム８の近傍にはリミットスイッチ９へカム８の変位を伝達するためのレバー１０やスイッチ起動片１１が設置され、さらにカム８が回動してから所定時間経過後にリミットスイッチ９を作動させる為の遅延機能を有するタイマー機構１２が設置されている。
【００２５】
ここで弁体６の開放による回動動作によりリミットスイッチ９が作動する手順について説明する。
【００２６】
本体２の二次側ＩＩに接続された図示しないスプリンクラーヘッドが作動すると、配管内に流水が生じて弁体６が回動動作して通路５が開き一次側Ｉより二次側ＩＩへ給水可能な状態となる。弁体６の回動とともに弁軸７に固定されたカム８も回動され、さらにレバー９もカム８の回動動作により回動をする。レバー９の回動によりレバー９の一端によって係止されていたスイッチ起動片１１の係止が解除され、スイッチ起動片１１はタイマー機構１２の作用によってゆっくりリミットスイッチ９側へ移動してリミットスイッチ９を作動させる。リミットスイッチ９の作動による信号が建物内の受信盤に伝送され、流水検知装置の作動を管理人等に伝える。
【００２７】
上記のカム８やリミットスイッチ９、レバー１０、等はスイッチボックスＳＢのベース１３に固定設置されている。ベース１３は図３に示すように箱型をしており、矩形をしたＡ面が本体２に固定設置されている。Ａ面の縁から本体２とは反対の方向に延出された面１３Ａ、１３Ｂ、１３Ｃの三面が形成されており、残りの一面は開口１３Ｄとなっている。該開口１３Ｄを設けた箇所を正面として、開口１３Ｄ付近に点検スイッチ１４や端子台１５が設置されている。ベース１３の縁には外側へ拡張された段部１３Ｅが形成されている。
【００２８】
カバー１６は略Ｌ字型に屈曲された板状である。カバー１６の縁部はベース１３側に折り曲げられた屈曲部１６Ａとなっており、屈曲部１６Ａの内面はベース１３の段部１３Ｅと係合される。カバー１６においてベース１３の背面１３Ｂの段部１３Ｅと係合する箇所（図中Ｐ）は、カバー１６の屈曲部の断面がコ字側になっており、凹み部１６Ｂが形成されている。図４に示すように段部１３Ｅを軸としてカバー１６が回動自在に構成されている。
【００２９】
カバー１６の正面には点検スイッチ１４を操作可能にするために設けた開口１７と、カバー１６をベース１３に固定するためのビス挿通部１８が形成されている。ビス挿通部１８はカバー１６の縁から切欠かれており、切欠きの形状はカバー１６の回動動作を妨げない形状となっている。具体的には図５においてカバー１６が矢印方向へ回動動作するのでビス挿通部１８の切欠きも矢印方向と平行に形成される。
【００３０】
ビス１９はビス挿通部１８の切欠きに通されてベース１３に設けられた牝ネジ２０に螺入される。ビス１９の頭部１９Ａによってカバー１６がベース１３側に押圧され、カバー１６がベース１３に固定設置される。ビス１９の緩み防止のためにカバー１６とビス頭部１９Ａの間にワッシャーを介してビス１９を牝ネジ２０に螺入してもよい。あるいはベース１３とカバー１６の間に係合部２１を設けてもよく、係合部２１の具体例としてベース１３とカバー１６の接触面に段や凸凹形状を形成して係合・噛合させることや、あるいはベース１３とカバー１６の接触面に滑り止め手段としてゴムや磁石を設けることや、ベース１３とカバー１６の密着性を高めるシール部材を設置することも可能である。
【００３１】
次に上記のベース１３とカバー１６の着脱について説明する。
【００３２】
先ず、ベース１３へカバー１６を取付ける手順を説明する。ベース１３は前述のように本体２に固定設置されている。カバー１６をベース１３に取付けるために、カバー１６の背面に形成された断面コ字型の凹み部１６Ｂをベース１３背面の段部１３Ｅに係合させる。凹み部１６Ｂと段部１３Ｂを係合させたことで、カバー１６は段部１３Ｂを軸として回動可能になり、カバー１６の開口１７が形成されている正面をベース１３のＡ面側へ回動させるとカバー１６の屈曲部１６Ａの内面とベース１３の段部１３Ｅが接触した状態となる。
【００３３】
次にカバー１６のビス挿通部１８にビス１９を挿入してベース１３の牝ネジ２０へビス１９を螺入する。ビス１９を螺入するとビス１９の頭部１９Ａがカバー１６の表面を押圧してカバー１６がベース１３に固定設置される。
【００３４】
続いて、ベース１３からカバー１６を取外す手順を説明する。カバー１６をベース１３に固定しているビス１９を緩める。その際ビス１９をベース１３の牝ネジ２０から完全に取外す必要はない。カバー１６が回動可能な程度ビス１９を緩めたら、カバー１６を本体２から離れる方向へ回動させる。カバー１６をある程度回動させた状態でカバー１６を背面側へ押し込むとカバー１６の凹み部１６Ｂとベース１３の段部１３Ｅとの係合が解除され、カバー１６がベース１３から取外せる。
【００３５】
上記のように、ビス１９を牝ネジ２０から完全に取外さなくてもカバー１６をベース１３から取外すことができるので、ビス１９の紛失を防止することができる。
【００３６】
次に実施形態２について図６から図９を参照して説明する。
【００３７】
図６に示す実施形態２の流水検知装置について、本体および弁体の構成およびリミットスイッチ付近の構成は実施形態１の流水検知装置と略同じであるので構成が同じ部分については同符号を付して詳細な説明は省略する。実施形態１との差異点は、弁体６が着座している弁座に本体２の外部へ通じる穴３１が穿設されていることである。該穴３１は内部にリミットスイッチ９を有するスイッチボックスＳＢに接続されている。スイッチボックス３２内は図７に示すように穴３１を通ってきた水の圧力によりレバー１０が回動動作する構造になっている。レバー１０の回動動作によりリミットスイッチ９が作動する構成部は実施形態１と略同じである。
【００３８】
上記のリミットスイッチ９等の構成品が配置されているスイッチボックスＳＢのベース３３は平板状であるスイッチボックスＳＢの外側の面３３Ａには穴３１が接続される接続部３４が設置されており、反対側のスイッチボックスＳＢの内側の面３３Ｂにはリミットスイッチ９やレバー１０等が設置される。中空状の接続部３４内にはダイアフラム３５が設置され、穴３１を通ってきた水が面３３Ｂ側に漏れないようにしている。ダイアフラム３５にはダイアフラム３５を貫通するロッド３６が設置されており、該ロッド３６がレバー１０と係合しており、ロッド３６の上下動作によりレバー１０が回動動作可能な構成となっている。
【００３９】
常時においてロッド３６は穴３１側に位置しているが、穴３１から水が接続部３４内に流入してくると、水の圧力によってダイアフラム３５が図中上方へ膨らみ、ダイアフラム３５の変形によってロッド３６がレバー１０側へ変位する。ロッド３６の変位によりレバー１０が回動動作して実施形態１で説明した通りリミットスイッチ９が作動する。リミットスイッチ９の作動による信号が建物内の受信盤に伝送され、流水検知装置の作動を管理人等に伝える。
【００４０】
ベース３３にはカバー３７をベース３３に固定するためのビス１９が螺入する牝ネジ２０が設置されている。牝ネジ２０はベース３３の縁近傍に設けられている（図８参照）。
【００４１】
カバー３７はベース３３の面３３Ｂを覆う箱型をしており、面３３Ｂと対応する部分は開口となっている。開口の縁には外側へ伸びた段部３８が形成されており、該段部３８にはビス挿通部３９が段部３８の縁から切欠かれて形成されている。ビス挿通部３９はカバー３７をベース３３に被せた際に前述の牝ネジ２０と対応する位置に形成される。
【００４２】
ビス挿通部３９が設けられた箇所以外の段部３８の縁は、図中下方に垂下した延出部３８Ａが形成されている。延出部３８Ａの内壁はベース３３の外形より僅かに大きく形成されている。延出部３８Ａを設けたことでベース３３にカバー３７を被せる際に延出部３８Ａがガイドの役目をして牝ネジ２０とビス挿通部３９の位置合わせが容易となる。さらに延出部３８Ａによってベース３３内部の構成部品に湿気や埃が付着するのを防ぐことができる。
【００４３】
続いて、上記のベース３３とカバー３７の着脱について説明する。
【００４４】
先ず、ベース３３へカバー３７を取付ける手順を説明する。
カバー３７をベース３３に被せる。その際、ベース３３の牝ネジ２０とカバー３７のビス挿通部３９が同じ位置になるようにカバー３７の向きに注意する。ビス１９をビス挿通部３９に挿入してベース３３の牝ネジ２０へ螺入する。ビス１９を螺入するとビス１９の頭部１９Ａがカバー３７の表面をベース３３側へ押圧してカバー３７がベース３３に固定設置される。
【００４５】
続いて、ベース３３からカバー３７を取外す手順を説明する。カバー３７をベース３３に固定しているビス１９を緩める。その際ビス１９をベース３３の牝ネジ２０から完全に取外す必要はない。カバー３７とベース３３の間に隙間ができる程度にビス１９を緩めたらカバー３７をベース３３の平面に沿ってスライド動作させる。具体的にはビス１９が挿通されているビス挿通部３９の切欠きからビス１９を外す方向へカバー３７をスライドさせる。ビス１９がビス挿通部３９から外れたらカバー３７を上方に移動させてベース３３からカバー３７を取外すことができる。
【００４６】
また実施形態２においても、実施形態１と同様にビス１９の緩み防止のためにワッシャーを用いることやベース３３とカバー３７の間に滑り止め手段を設けることが可能である。実施形態１で示したベース１３とカバー１６の係合部をベース３３と段部３８のベース３３との接触面に用いることも可能である。実施形態１で説明した係合部以外の例として図９（ａ）に示すように、ビス挿通部３９が設けられた段部３８の縁に延出部３８Ｂを設けてもよい。カバー３７がベース３３に装着された状態において、延出部３８Ｂがベース３３の縁３３Ｃに係合され、カバー３７がビス挿通部３９の切欠き方向へのスライドすることを阻むことができる。あるいは図９（ｂ）のようにベース３３に穴や凹み部３３Ｄを形成しておき、カバー３７側に前記の穴や凹みに対応する段や突起３８Ｃを形成することも可能である。
【００４７】
上記のようにカバー３７に延出部３８Ｂや突起３８Ｃを形成した際のカバー３７の取外し手順について図９（ｂ）に基づいて説明する。先ずビス１９を緩めてカバー３７を図中上方へ移動させてベース３３の凹み部３３Ｄと突起３８Ｃの係合を解除する。続いてビス挿通部３９の切欠きからビス１９を外す方向へカバー３７をスライドさせ、ビス１９がビス挿通部３９から外れたらカバー３７を上方に移動させてベース３３からカバー３７を取外すことができる。
【００４８】
尚、実施形態２では、ビス１９及びビス挿通部３９、牝ネジ２０を２箇所設けた例を説明したが、これを１箇所とすることも可能である。また、ベース３３側に牝ネジ２０、カバー３７側にビス挿通部３９を設けた例を説明したが、逆にベース３３側にビス挿通部３９、カバー３７側に牝ネジ２０を設けてもよい。
【００４９】
次に実施形態３について図１０から図１２を参照して説明する。図１０に示す実施形態３の流水検知装置１について、リミットスイッチ付近の構成は実施形態１の流水検知装置と略同じであるので構成が同じ部分については同符号を付して詳細な説明は省略する。実施形態１との差異点は、弁体６の開放に伴う回動動作の検出を、常時弁体６に接しているロッド４１により行うものである。
【００５０】
ロッド４１は、本体２とスイッチボックスＳＢの間で軸支されておりシーソー状に回動可能な構成となっている。ロッド４１の一端は前述のように常時は閉止状態にある弁体６と接触している。ロッド４１の他端にはレバー１０が固定設置されており、レバー１０の先端はスイッチ起動片１１と係合している。ロッド４１のスイッチボックスＳＢ内部側は、スイッチボックスＳＢのベース４２内に設置されたスプリング４３によってリミットスイッチ９側に付勢されているが、その付勢力は弁体６側の端を押し上げる程の力はない。
【００５１】
弁体６が開放されロッド４１から弁体６が離れると、ロッド４１の一端に作用していた弁体６の力が解除されるのでロッド４１のスイッチボックスＳＢ内の端はスプリング４３によってリミットスイッチ９側に回動する。ロッド４１の回動によりレバー１０とスイッチ起動片１１の係合が解除され、スイッチ起動片１１がリミットスイッチ９側（図中下方）に移動してリミットスイッチ９を作動させる。リミットスイッチ９の作動による信号が建物内の受信盤に伝送され、流水検知装置の作動を管理人等に伝える。
【００５２】
上記のリミットスイッチ９やスプリング４３が設置されたベース４２はＬ字型に屈曲された板材から成る。ベース４２は流水検知装置１の本体２に固定されるＣ面と、Ｃ面から屈曲して形成されたＤ面を有する。リミットスイッチ９やスプリング４３等の構成部品はＣ面に設置されている。Ｄ面には建物内の配線をベース４２内へ挿通可能な配線穴４４が穿設されている。またＤ面の端面に牝ネジ２０が設けられている。
【００５３】
カバー４５は、ベース４２を覆うものであり、ベース４２に設けられたリミットスイッチ９やスプリング４３等の構成部品を湿気や埃から保護する。カバー４５は箱型をしておりベース４２と対応する部分は開口となっている。Ｃ面に対応する開口の縁には外側へ伸びた段部４６が形成されており、さらに段部４６の縁から本体２側に向かって伸びた延出部４７が形成されている。該延出部４７によってベース４２内部に湿気や埃が入りにくくしている。
【００５４】
延出部４７の一部は、延出部４７の先端からさらにカバー４５の内側に延出しており断面がコ字型になっているベース係合部４８が形成されている。ベース係合部４８は、ベース４２の端面と係合しており図１１においてはベース４２のＣ面上端の端面Ｃ１と係合している。該ベース係合部４８に対して、ビス１９によりカバー４５をベース４２に固定するための牝ネジ２０がベース４５のＤ面下端の端面Ｄ１に設けられている。
【００５５】
カバー４５はベース係合部４８がベース４５の端面Ｃ１と係合し、牝ネジ２０がベース４５の端面Ｄ１に設けられ、カバー４５は図中上方へスライドさせてベース４２と取付け・取外しができる。従ってビス挿通部４９は前述のカバー４５のスライド動作方向に切欠かれて形成されている。
【００５６】
カバー４５を上下方向にスライド移動させてベース４２への取付け・取外しを可能としたことで、流水検知装置の設置場所が狭くてメンテナンススペースが充分に取れない場合にもカバー４５の着脱ができ、結線や修理・交換等の作業を行うことが可能である。
【００５７】
上記の例では、カバー４５のベース係合部４８をベース４２の上端に配置させた形状を説明したが、これ以外の構成とすることも可能である。例えばベース係合部４８をベース４２の奥側の端面（例えば端面Ｃ２）に設け、牝ネジ２０をベース４２の手前側の端面（例えば端面Ｄ２）に設けて構成することも可能である。
【００５８】
また、図１２に示すようにカバー４５のスライド動作をガイドするためのレール５０をベース４５に形成することも可能である。図１２に示すレール５０はベース４２から突出した断面凸形状で図示されているが、これ以外の形状でもよく断面を凹形状としてカバー４５に設けた突起（図示しない）を凹部分にガイドさせてスライド動作させることも可能である。
【００５９】
上記に説明した実施形態３のスイッチボックスにおいても前述の実施形態１、２で説明した係合部を設けることが可能である。
【産業上の利用可能性】
【００６０】
上記においては消火設備機器の流水検知装置について説明したが、これ以外にも消火設備用ポンプの制御ボックスや、内部に発信機やベル、表示灯、等を収容した消火設備用総合盤のボックス構造に用いることも可能である。
【符号の説明】
【００６１】
１  流水検知装置  
２  本体  
３  フランジ  
６  弁体  
７  弁軸  
８  カム  
９  リミットスイッチ  
１０  レバー  
１１  スイッチ起動片  
１２  タイマー機構  
１３  ベース  
１６  カバー  
１８  ビス挿通部  
１９  ビス  
２０  牝ネジ  
２１  係合部  
３３  ベース  
３４  接続部  
３５  ダイアフラム  
３６  ロッド  
３７  カバー  
３８  段部  
３９  ビス挿通部  
４１  ロッド  
４２  ベース  
４３  スプリング  
４４  配線穴  
４５  カバー  
４６  段部  
４７  延出部  
４８  ベース係合部  
４９  ビス挿通部  
５０  レール  
【図１】
2011078673.tif 000003
【図２】
2011078673.tif 000004
【図３】
2011078673.tif 000005
【図４】
2011078673.tif 000006
【図５】
2011078673.tif 000007
【図６】
2011078673.tif 000008
【図７】
2011078673.tif 000009
【図８】
2011078673.tif 000010
【図９】
2011078673.tif 000011
【図１０】
2011078673.tif 000012
【図１１】
2011078673.tif 000013
【図１２】
2011078673.tif 000014